(57)【要約】【課題】送信者が画像形成装置に対してＦＡＸ送信を依頼するだけで、自動的に承認者の端末に対して承認を依頼できるＦＡＸ送信システムの提供。【解決手段】送信者端末は、送信データを取得する送信データ取得部と、送信データを画像形成装置に送信する送信指示部とを備え、画像形成装置は、ＦＡＸ通信部と、ＦＡＸ送信の指示を受信したとき、送信者と、送信者によるＦＡＸ送信を承認する承認者との対応が記述された送信者承認者対応テーブルを用いて、送信者に対応する承認者を割り出し、割り出した承認者の承認者端末に承認依頼を出すＦＡＸ送信管理部を備え、承認者端末は、承認依頼を受信したとき、承認者に承認画面を提示し、承認者から受け付けた承認結果を画像形成装置に返信する承認管理部とを備え、画像形成装置のＦＡＸ送信管理部は、受信した承認結果がＦＡＸ送信を許可する旨のものであるとき、ＦＡＸ通信部に送信データを送信させる。【選択図】図１
2017118389.tif 000002
【特許請求の範囲】
【請求項１】
ネットワークで接続された、ファクシミリ送信者端末、承認者端末、および画像形成装置を含み、
前記ファクシミリ送信者端末は、
前記画像形成装置と通信可能な第１の通信部と、
ファクシミリ送信する文面となる送信データおよびファクシミリ送信する際のオプション設定に関する情報である送信設定情報を記憶可能な第１の記憶部と、
ファクシミリ送信者から前記オプション設定に関する入力を受け付ける第１の操作入力部と、
前記送信データを取得し前記第１の記憶部に記憶させる送信データ取得部と、
前記第１の操作入力部経由で受け付けた前記オプション設定に関する前記送信設定情報を第１の記憶部に記憶させる送信設定部と、
前記第１の記憶部に記憶された前記送信データおよび前記送信設定情報を前記画像形成装置に送信してファクシミリ送信の指示を出す送信指示部と
を備え、
前記画像形成装置は、
ファクシミリでの通信を行うファクシミリ通信部と、
前記ファクシミリ送信者端末および前記承認者端末と通信可能な第２の通信部と、
前記ファクシミリ送信者と、前記ファクシミリ送信者によるファクシミリ送信を承認する承認者との対応が予め記述された送信者承認者対応テーブルを記憶した第２の記憶部と、
前記第２の通信部経由で前記ファクシミリ送信者端末から前記ファクシミリ送信の指示を受信したとき、前記送信者承認者対応テーブルを用いて、前記ファクシミリ送信の指示を出したファクシミリ送信者に対応する前記承認者を割り出し、割り出した前記承認者の前記承認者端末に前記第２の通信部経由で承認依頼を出すファクシミリ送信管理部
を備え、
前記承認者端末は、
前記画像形成装置と通信可能な第３の通信部と、
表示部と、
前記承認者によるファクシミリ送信の可否の入力を受け付ける第２の操作入力部と、
前記第３の通信部経由で前記画像形成装置から前記承認依頼を受信したとき、前記表示部経由で前記承認者に承認画面を提示し、承認結果を前記承認者から前記第２の操作入力部経由で受け付け、受け付けた前記承認結果を前記第３の通信部経由で前記画像形成装置に返信する承認管理部と
を備え、
前記画像形成装置の前記ファクシミリ送信管理部は、
前記承認者端末から前記第２の通信部経由で前記承認結果を受信し、かつ前記承認結果がファクシミリ送信を許可する旨のものであるとき、前記ファクシミリ通信部に前記送信データをファクシミリ送信させる
ファクシミリ送信システム。
【請求項２】
ファクシミリ送信者端末の送信データ取得部が、ファクシミリ送信する文面となる送信データを取得し第１の記憶部に記憶させ、
前記ファクシミリ送信者端末の送信設定部が、ファクシミリ送信する際のオプション設定に関する情報である送信設定情報を第１の操作入力部経由でファクシミリ送信者から受け付けて前記第１の記憶部に記憶させ、
前記ファクシミリ送信者端末の送信設定部が、前記第１の記憶部に記憶された前記送信データおよび前記送信設定情報をネットワーク接続された画像形成装置に送信してファクシミリ送信の指示を出し、
前記画像形成装置のファクシミリ送信管理部が、第２の通信部経由で前記ファクシミリ送信者端末から前記ファクシミリ送信の指示を受信したとき、前記ファクシミリ送信者と、前記ファクシミリ送信者によるファクシミリ送信を承認する承認者との対応が予め記述された送信者承認者対応テーブルを用いて、前記ファクシミリ送信の指示を出したファクシミリ送信者に対応する前記承認者を割り出し、ネットワーク接続された、割り出した前記承認者の承認者端末に前記第２の通信部経由で承認依頼を出し、
前記承認者端末の承認管理部が、第３の通信部経由で前記画像形成装置から前記承認依頼を受信したとき、表示部経由で前記承認者に承認画面を提示し、承認結果を前記承認者から第２の操作入力部経由で受け付け、受け付けた前記承認結果を前記第３の通信部経由で前記画像形成装置に返信し、
前記画像形成装置の前記ファクシミリ送信管理部が、前記承認者端末から前記第２の通信部経由で前記承認結果を受信し、かつ前記承認結果がファクシミリ送信を許可する旨のものであるとき、ファクシミリ通信部に前記送信データをファクシミリ送信させる
ファクシミリ送信方法。
【発明の詳細な説明】
【技術分野】
【０００１】
本発明は、端末からネットワーク経由で指示しファクシミリ送信するファクシミリ送信システムおよびファクシミリ送信方法に関する。
【背景技術】
【０００２】
従来、画像形成装置（ＭＦＰ、Multifunction Peripheral）などのファクシミリ送信装置からファクシミリ送信する場合、間違った宛先に送信することによる情報漏洩などを防ぐために、様々な工夫がなされてきた。
【０００３】
例えば、特許文献１において開示されている技術では、ファクシミリ送信者のＰＣ（Personal Computer）等から指示したファクシミリ送信のジョブは、直ちに直接、画像形成装置において実行されるのではなく、ファクシミリ送信者のＰＣから承認者のＰＣに対してファクシミリ送信の承認を依頼する。
【０００４】
そして、承認者が承認したファクシミリ送信ジョブが画像形成装置に送られ、承認者が画像形成装置において操作することにより、ファクシミリが送信されるというものである。
【先行技術文献】
【特許文献】
【０００５】
【特許文献１】特開２０１１−１８８４４１号公報
【発明の概要】
【発明が解決しようとする課題】
【０００６】
しかし、特許文献１の技術では、ファクシミリ送信を画像形成装置に対して依頼するであろう全てのＰＣに、承認者のＰＣに対するファクシミリ送信の承認を依頼するためのプログラムをインストールしなければならず、手間であった。
【０００７】
以上のような事情に鑑み、本発明の目的は、ファクシミリ送信者が画像形成装置に対してファクシミリ送信を依頼するだけで、自動的に承認者の端末に対して承認を依頼できるファクシミリ送信システムおよびファクシミリ送信方法を提供することにある。
【課題を解決するための手段】
【０００８】
上記目的を達成するため、本発明の一形態に係るファクシミリ送信システムは、ネットワークで接続された、ファクシミリ送信者端末、承認者端末、および画像形成装置を含み、前記ファクシミリ送信者端末は、前記画像形成装置と通信可能な第１の通信部と、ファクシミリ送信する文面となる送信データおよびファクシミリ送信する際のオプション設定に関する情報である送信設定情報を記憶可能な第１の記憶部と、ファクシミリ送信者から前記オプション設定に関する入力を受け付ける第１の操作入力部と、前記送信データを取得し前記第１の記憶部に記憶させる送信データ取得部と、前記第１の操作入力部経由で受け付けた前記オプション設定に関する前記送信設定情報を第１の記憶部に記憶させる送信設定部と、前記第１の記憶部に記憶された前記送信データおよび前記送信設定情報を前記画像形成装置に送信してファクシミリ送信の指示を出す送信指示部とを備え、前記画像形成装置は、ファクシミリでの通信を行うファクシミリ通信部と、前記ファクシミリ送信者端末および前記承認者端末と通信可能な第２の通信部と、前記ファクシミリ送信者と、前記ファクシミリ送信者によるファクシミリ送信を承認する承認者との対応が予め記述された送信者承認者対応テーブルを記憶した第２の記憶部と、前記第２の通信部経由で前記ファクシミリ送信者端末から前記ファクシミリ送信の指示を受信したとき、前記送信者承認者対応テーブルを用いて、前記ファクシミリ送信の指示を出したファクシミリ送信者に対応する前記承認者を割り出し、割り出した前記承認者の前記承認者端末に前記第２の通信部経由で承認依頼を出すファクシミリ送信管理部を備え、前記承認者端末は、前記画像形成装置と通信可能な第３の通信部と、表示部と、前記承認者によるファクシミリ送信の可否の入力を受け付ける第２の操作入力部と、前記第３の通信部経由で前記画像形成装置から前記承認依頼を受信したとき、前記表示部経由で前記承認者に承認画面を提示し、承認結果を前記承認者から前記第２の操作入力部経由で受け付け、受け付けた前記承認結果を前記第３の通信部経由で前記画像形成装置に返信する承認管理部とを備え、前記画像形成装置の前記ファクシミリ送信管理部は、前記承認者端末から前記第２の通信部経由で前記承認結果を受信し、かつ前記承認結果がファクシミリ送信を許可する旨のものであるとき、前記ファクシミリ通信部に前記送信データをファクシミリ送信させる。そのため、ファクシミリ送信者が画像形成装置に対してファクシミリ送信を依頼するだけで、自動的に承認者の端末に対して承認を依頼できる。
【０００９】
上記目的を達成するため、本発明の一形態に係るファクシミリ送信方法では、ファクシミリ送信者端末の送信データ取得部が、ファクシミリ送信する文面となる送信データを取得し第１の記憶部に記憶させ、前記ファクシミリ送信者端末の送信設定部が、ファクシミリ送信する際のオプション設定に関する情報である送信設定情報を第１の操作入力部経由でファクシミリ送信者から受け付けて前記第１の記憶部に記憶させ、前記ファクシミリ送信者端末の送信設定部が、前記第１の記憶部に記憶された前記送信データおよび前記送信設定情報をネットワーク接続された画像形成装置に送信してファクシミリ送信の指示を出し、前記画像形成装置のファクシミリ送信管理部が、第２の通信部経由で前記ファクシミリ送信者端末から前記ファクシミリ送信の指示を受信したとき、前記ファクシミリ送信者と、前記ファクシミリ送信者によるファクシミリ送信を承認する承認者との対応が予め記述された送信者承認者対応テーブルを用いて、前記ファクシミリ送信の指示を出したファクシミリ送信者に対応する前記承認者を割り出し、ネットワーク接続された、割り出した前記承認者の承認者端末に前記第２の通信部経由で承認依頼を出し、前記承認者端末の承認管理部が、第３の通信部経由で前記画像形成装置から前記承認依頼を受信したとき、表示部経由で前記承認者に承認画面を提示し、承認結果を前記承認者から第２の操作入力部経由で受け付け、受け付けた前記承認結果を前記第３の通信部経由で前記画像形成装置に返信し、前記画像形成装置の前記ファクシミリ送信管理部が、前記承認者端末から前記第２の通信部経由で前記承認結果を受信し、かつ前記承認結果がファクシミリ送信を許可する旨のものであるとき、ファクシミリ通信部に前記送信データをファクシミリ送信させる。
【発明の効果】
【００１０】
以上のように、本発明によれば、ファクシミリ送信者が画像形成装置に対してファクシミリ送信を依頼するだけで、自動的に承認者の端末に対して承認を依頼できる。
【図面の簡単な説明】
【００１１】
【図１】本発明の実施形態に係るファクシミリ送信システム１の全体的な構成と全体的な処理の流れを説明する図である。
【図２】ファクシミリ送信者端末１０が一般的なコンピューターにより構成される場合の構成図である。
【図３】画像形成装置２０の構成を概略的に示す構成図である。
【図４】承認者端末３０が一般的なコンピューターにより構成される場合の構成図である。
【図５】ファクシミリ送信者端末１０での処理の流れについて説明するためのフローチャートである。
【図６】承認者端末３０における処理の流れについて説明するためのフローチャートである。
【図７】画像形成装置２０における処理の流れについて説明するためのフローチャートである。
【発明を実施するための形態】
【００１２】
以下、図面を参照しながら、本発明の実施形態を説明する。なお、以下の説明では、ファクシミリ送信機の例として、ファクシミリ送信機能を有する画像形成装置を用いて説明する。
【００１３】
［全体的な構成と処理の流れ］
最初に、本発明の実施形態に係るファクシミリ送信システムの全体的な構成と全体的な処理の流れを説明する。図１は、本発明の実施形態に係るファクシミリ送信システム１の全体的な構成と全体的な処理の流れを説明する図である。
【００１４】
ファクシミリ送信システム１は、ファクシミリ送信者端末１０、承認者端末３０、および画像形成装置２０を含んで構成される。ファクシミリ送信者端末１０、承認者端末３０、および画像形成装置２０は、有線または無線のセットワークで接続されている。
【００１５】
（１）まず、ファクシミリ送信者が、自身のファクシミリ送信者端末１０を用いて、ファクシミリ送信する文面を送信データとして用意する。文面は、画像形成装置２０による文書の読み込みにより準備してもよいし、ファクシミリ送信者端末１０にカメラが装備されている場合はカメラで撮影することにより準備してもよいし、ファクシミリ送信者端末１０が外部（外部記憶装置やネットワークで接続された外部のサーバー）から取得したデータにより準備してもよい。
【００１６】
（２）次に、ファクシミリ送信者が、ファクシミリを送信する際のオプションを設定する。オプションとは、画像形成装置２０による両面同時読み込み設定や、送信する画像の濃度などである。
【００１７】
（３）次に、ファクシミリ送信者端末１０は、送信データ（ファクシミリ送信者端末１０で取得した場合）とファクシミリ送信設定に関する情報を、ファクシミリ送信指示として画像形成装置２０に送信する。
【００１８】
（４）次に、ファクシミリ送信指示を受信した画像形成装置２０は、ファクシミリ送信者に対する承認者を割り出し、割り出した承認者の端末（承認者端末３０）にファクシミリ送信の承認を依頼知る。
【００１９】
（５）次に、承認依頼を受信した承認者端末３０は、承認依頼の画面を承認者に提示し、承認の可否を受け付ける。
【００２０】
（６）次に、承認者端末３０は、承認者により入力された承認の可否を画像形成装置２０に返信する。
【００２１】
（７）次に、画像形成装置２０は、承認者端末３０からファクシミリ送信の許可が来た場合は、ファクシミリを送信する。
【００２２】
（８）次に、画像形成装置２０は、処理結果をファクシミリ送信者端末に返信する。
【００２３】
以上、本発明の実施形態に係るファクシミリ送信システムの全体的な構成と全体的な処理の流れを説明した。
【００２４】
［ファクシミリ送信者端末の構成］
次に、ファクシミリ送信者端末１０の構成について説明する。ファクシミリ送信者端末１０は、専用のハードウェアやソフトウェアにより構成されていてもよいし、一般的なコンピューターにより構成されてもよい。ファクシミリ送信者端末１０が一般的なコンピューターにより構成される場合の構成図を図２に示す。
【００２５】
同図に示すように、ファクシミリ送信者端末１０は、ＣＰＵ（Central Processing Unit）１１、ＲＯＭ（Read Only Memory）１２、ＲＡＭ（Random Access Memory）１３、操作入力部１４（第１の操作入力部）、通信部１５（第１の通信部）、表示部１６、および記憶部１７（第１の記憶部）を有し、これら各ブロックがバス１８を介して接続されている。
【００２６】
ＲＯＭ１２は、各種の処理を実行するためのファームウェア等の複数のプログラムやデータを記憶する。ＲＡＭ１３は、ＣＰＵ１１の作業用領域として用いられ、ＯＳ（Operating System）、実行中の各種アプリケーション、処理中の各種データを一時的に保持する。
【００２７】
記憶部１７は、例えばＨＤＤ（Hard Disk Drive）や、フラッシュメモリー、その他の不揮発性メモリーである。記憶部１７には、ＯＳや各種アプリケーション、各種データ、ファクシミリ送信する文面となる取得した送信データ１７ａおよびファクシミリ送信者により設定された送信設定情報１７ｂが記憶される。
【００２８】
通信部１５は、画像形成装置２０と情報のやりとりを行う為のネットワークと結ばれている。
【００２９】
ＣＰＵ１１は、ＲＯＭ１２や記憶部１７に格納された複数のプログラムのうち、操作入力部１４から与えられる命令に対応するプログラムをＲＡＭ１３に展開し、この展開されたプログラムにしたがって、表示部１６及び記憶部１７を適宜制御する。
【００３０】
操作入力部１４は、例えばマウス等のポインティングデバイス、キーボード、タッチパネル、その他の操作装置である。
【００３１】
表示部１６は、例えば液晶ディスプレイ、ＥＬ（Electro-Luminescence）ディスプレイ、プラズマディスプレイ等である。
【００３２】
次に、ＣＰＵ１１においてプログラムが実行されることにより実現される機能ブロックについて説明する。
【００３３】
ファクシミリ送信者端末１０のＣＰＵ１１において実現される機能ブロックは、送信データ取得部１１ａ、送信設定部１１ｂ、および送信指示部１１ｃである。
【００３４】
送信データ取得部１１ａは、カメラによる撮影や外部記憶装置からの取得によりファクシミリ送信する文面となる送信データ１７ａを取得する。
【００３５】
送信設定部１１ｂは、画像形成装置２０がファクシミリ送信を行う際のオプションに関して、ファクシミリ送信者からの入力を受け付け、送信設定情報１７ｂとして保存する。
【００３６】
送信指示部１１ｃは、記憶部１７に記憶された送信データ１７ａおよび送信設定情報１７ｂを画像形成装置２０に送信し、ファクシミリ送信の指示を出す。
【００３７】
以上、ファクシミリ送信者端末１０の構成について説明した。
【００３８】
［画像形成装置の構成］
次に、画像形成装置２０の構成について説明する。図３は画像形成装置２０の構成を概略的に示す構成図である。
【００３９】
画像形成装置２０は、制御部２１を備える。制御部２１は、ＣＰＵ、ＲＡＭ、ＲＯＭ、および専用のハードウェア回路等から構成され、画像形成装置２０の全体的な動作制御を司る。
【００４０】
制御部２１は、原稿読取部２２、画像処理部２３、画像メモリー２４、画像形成部２５、操作部２６、表示部２６ａ、ファクシミリ通信部２７、通信部２８（第２の通信部）、記憶部２９（第２の記憶部）等と接続されている。制御部２１は、接続されている上記各部の動作制御や、各部との間での信号又はデータの送受信を行う。
【００４１】
制御部２１は、ユーザーから、操作部２６またはネッワーク接続されたＰＣ等を通じて入力されるジョブの実行指示に従って、スキャナ機能、印刷機能、コピー機能、およびファクシミリ送受信機能などの各機能についての動作制御を実行するために必要な機構の駆動及び処理を制御する。
【００４２】
また、制御部２１は、ファクシミリ送信管理部２１ａを有している。ファクシミリ送信管理部２１ａは、ＲＯＭなどからＲＡＭにロードされたプログラムがＣＰＵにより実行されることで実現される機能ブロックである。
【００４３】
ファクシミリ送信管理部２１ａは、ファクシミリ送信者端末１０からファクシミリ送信指示が来ると、ファクシミリ送信指示を出したファクシミリ送信者に関するファクシミリ送信の承認者を割り出し、割り出した承認者の承認者端末３０に対して承認依頼を出す。
【００４４】
また、ファクシミリ送信管理部２１ａは、承認者端末３０からファクシミリ送信の許可が得られると、ファクシミリ送信を行う。
【００４５】
原稿読取部２２は、原稿から画像を読み取る。
【００４６】
画像処理部２３は、原稿読取部２２で読み取られた画像の画像データを必要に応じて画像処理する。例えば、画像処理部２３は、原稿読取部２２により読み取られた画像が画像形成された後の品質を向上させるために、シェーディング補正等の画像処理を行う。
【００４７】
画像メモリー２４は、原稿読取部２２による読み取りで得られた原稿画像のデータを一時的に記憶したり、画像形成部２５での印刷対象となるデータを一時的に記憶したりする領域である。
【００４８】
画像形成部２５は、原稿読取部２２で読み取られた画像データ等の画像形成を行う。
【００４９】
操作部２６は、画像形成装置２０が実行可能な各種動作及び処理についてユーザーからの指示を受け付けるタッチパネル部および操作キー部を備える。タッチパネル部は、タッチパネルが設けられたＬＣＤ（Liquid Crystal Display）等の表示部２６ａを備えている。
【００５０】
ファクシミリ通信部２７は、図示しない符号化／復号化部、変復調部、およびＮＣＵ（Network Control Unit）を備え、公衆電話回線網を用いてのファクシミリの送信を行う。
【００５１】
通信部２８は、ＬＡＮボード等の通信モジュールから構成され、通信部２８に接続されたＬＡＮ等を介して、ファクシミリ送信者端末１０や、承認者端末３０、ローカルエリア内の装置(ＰＣ等)と種々のデータの送受信を行う。
【００５２】
記憶部２９は、原稿読取部２２によって読み取られた原稿画像や、送信者承認者対応テーブル２９ａを記憶する。記憶部２９は、ＨＤＤなどの大容量の記憶装置である。
【００５３】
送信者承認者対応テーブル２９ａは、ファクシミリ送信者と、そのファクシミリ送信者がファクシミリ送信を行う際にファクシミリ送信の可否を判断する承認者（上司など）を対応させたテーブルである。
【００５４】
以上、画像形成装置２０の構成について説明した。
【００５５】
［承認者端末の構成］
次に、承認者端末３０の構成について説明する。承認者端末３０は、専用のハードウェアやソフトウェアにより構成されていてもよいし、一般的なコンピューターにより構成されてもよい。承認者端末３０が一般的なコンピューターにより構成される場合の構成図を図４に示す。
【００５６】
同図に示すように、承認者端末３０は、ＣＰＵ３１、ＲＯＭ３２、ＲＡＭ３３、操作入力部３４（第２の操作入力部）、通信部３５（第３の通信部）、表示部３６、および記憶部３７を有し、これら各ブロックがバス３８を介して接続されている。
【００５７】
ＲＯＭ３２は、各種の処理を実行するためのファームウェア等の複数のプログラムやデータを記憶する。ＲＡＭ３３は、ＣＰＵ３１の作業用領域として用いられ、ＯＳ、実行中の各種アプリケーション、処理中の各種データを一時的に保持する。
【００５８】
記憶部３７は、例えばＨＤＤや、フラッシュメモリー、その他の不揮発性メモリーである。記憶部３７には、ＯＳや各種アプリケーション、各種データが記憶される。
【００５９】
通信部３５は、画像形成装置２０と情報のやりとりを行う為のネットワークと結ばれている。
【００６０】
ＣＰＵ３１は、ＲＯＭ３２や記憶部３７に格納された複数のプログラムのうち、操作入力部３４から与えられる命令に対応するプログラムをＲＡＭ３３に展開し、この展開されたプログラムにしたがって、表示部３６及び記憶部３７を適宜制御する。
【００６１】
操作入力部３４は、例えばマウス等のポインティングデバイス、キーボード、タッチパネル、その他の操作装置である。
【００６２】
表示部３６は、例えば液晶ディスプレイ、ＥＬディスプレイ、プラズマディスプレイ等である。
【００６３】
次に、ＣＰＵ３１においてプログラムが実行されることにより実現される機能ブロックについて説明する。
【００６４】
承認者端末３０のＣＰＵ３１において実現される機能ブロックは、承認管理部３１ａである。
【００６５】
承認管理部３１ａは、画像形成装置２０からの承認依頼を通信部３５経由で受け取ると、表示部３６を介して承認者に、受信した承認依頼に関するファクシミリ送信の可否を問い合わせる。
【００６６】
ファクシミリ送信の可否を操作入力部３４経由で受け付けた承認管理部３１ａは、受け付けた承認の可否を通信部３５経由で画像形成装置２０に返信する。
【００６７】
以上、承認者端末３０の構成について説明した。
【００６８】
［処理の流れ（ファクシミリ送信者端末）］
ファクシミリ送信システム１全体での処理の流れについては上述したので、以下では、個々の端末または装置における処理の流れについて説明する。ここでは、ファクシミリ送信者端末１０での処理の流れについて説明する。図５は、ファクシミリ送信者端末１０での処理の流れについて説明するためのフローチャートである。
【００６９】
まず、送信データ取得部１１ａが、ファクシミリ送信する文面となる画像データを取得し、記憶部１７に送信データ１７ａとして記憶させる（ステップＳ１）。なお、送信データは、このステップで取得する以外に、画像形成装置２０のスキャナ機能を用いて読み込ませる構成でもよい。
【００７０】
次に、送信設定部１１ｂが、ファクシミリを送信する際の送信オプションの設定を、操作入力部１４を介して、ファクシミリ送信者から受け付け、記憶部１７に送信設定情報１７ｂとして記憶させる（ステップＳ２）。
【００７１】
次に、送信指示部１１ｃが、記憶部１７に記憶された送信データ１７ａと送信設定情報１７ｂを画像形成装置２０に送信し、ファクシミリ送信を指示する（ステップＳ３）。
【００７２】
以上、ファクシミリ送信者端末１０での処理の流れについて説明した。
【００７３】
［処理の流れ（承認者端末）］
次に、承認者端末３０における処理の流れについて説明する。図６は、承認者端末３０における処理の流れについて説明するためのフローチャートである。
【００７４】
まず、承認管理部３１ａが、通信部３５経由で画像形成装置２０からファクシミリ送信の承認依頼を受け取ったとする（ステップＳ１０）。
【００７５】
次に、承認管理部３１ａが、表示部３６経由で承認依頼画面を承認者に提示する（ステップＳ１１）。
【００７６】
次に、承認管理部３１ａが、操作入力部３４経由で、承認者から承認結果を受け付け、ファクシミリ送信が承認されたか否かを判断する（ステップＳ１２）。
【００７７】
承認された場合（ステップＳ１２のＹ）、承認管理部３１ａは、ファクシミリ送信を許可する旨を画像形成装置２０に通信部３５経由で返信する（ステップＳ１３）。
【００７８】
承認されなかった倍（ステップＳ１２のＮ）、承認管理部３１ａは、ファクシミリ送信を許可しない旨を画像形成装置２０に通信部３５経由で返信する（ステップＳ１４）。
【００７９】
以上、承認者端末３０での処理の流れについて説明した。
【００８０】
［処理の流れ（画像形成装置）］
次に、画像形成装置２０における処理の流れについて説明する。図７は、画像形成装置２０における処理の流れについて説明するためのフローチャートである。
【００８１】
まず、ファクシミリ送信管理部２１ａが、ファクシミリ送信者端末１０から通信部２８経由でファクシミリ送信の指示（送信データ１７ａ、送信設定情報１７ｂを含む）を受信したとする（ステップＳ２１）。
【００８２】
次に、ファクシミリ送信管理部２１ａは、送信者承認者対応テーブル２９ａを用いて、受信したファクシミリ送信指示を出したファクシミリ送信者に対応する承認者を割り出す（ステップＳ２２）。
【００８３】
次に、ファクシミリ送信管理部２１ａは、通信部２８経由で、割り出した承認者の承認者端末３０に承認依頼を出す（ステップＳ２３）。
【００８４】
次に、承認者端末３０から承認結果を通信部２８経由で受け取ったとする（ステップＳ２４）。
【００８５】
次に、ファクシミリ送信管理部２１ａは、承認結果に基づき、ファクシミリ送信が許可されたか否かを判断する（ステップＳ２５）。
【００８６】
ファクシミリ送信が許可された場合（ステップＳ２５のＹ）は、受信している送信データ１７ａを送信設定情報１７ｂに基づいて、ファクシミリ通信部２７経由でファクシミリ送信する（ステップＳ２６）。
【００８７】
次に、ファクシミリ送信管理部２１ａは、処理結果をファクシミリ送信者端末１０に返信する（ステップＳ２７）。なお、ここでいう処理結果とは、ファクシミリ送信が承認されたか否か、そしてファクシミリ送信が承認された場合はファクシミリ送信の結果を含む。
【００８８】
以上、画像形成装置２０における処理の流れについて説明した。
【００８９】
［補足事項］
以上のように、本発明に係るファクシミリ送信システム１は、ネットワークで接続された、ファクシミリ送信者端末１０、承認者端末３０、および画像形成装置２０を含み、前記ファクシミリ送信者端末１０は、前記画像形成装置２０と通信可能な第１の通信部１５と、ファクシミリ送信する文面となる送信データ１７ａおよびファクシミリ送信する際のオプション設定に関する情報である送信設定情報１７ｂを記憶可能な第１の記憶部１７と、ファクシミリ送信者から前記オプション設定に関する入力を受け付ける第１の操作入力部１４と、前記送信データ１７ａを取得し前記第１の記憶部１７に記憶させる送信データ取得部１１ａと、前記第１の操作入力部１４経由で受け付けた前記オプション設定に関する前記送信設定情報１７ｂを第１の記憶部１７に記憶させる送信設定部１１ｂと、前記第１の記憶部１７に記憶された前記送信データ１７ａおよび前記送信設定情報１７ｂを前記画像形成装置２０に送信してファクシミリ送信の指示を出す送信指示部１１ｃとを備え、前記画像形成装置２０は、ファクシミリでの通信を行うファクシミリ通信部２７と、前記ファクシミリ送信者端末１０および前記承認者端末３０と通信可能な第２の通信部２８と、前記ファクシミリ送信者と、前記ファクシミリ送信者によるファクシミリ送信を承認する承認者との対応が予め記述された送信者承認者対応テーブル２９ａを記憶した第２の記憶部２９と、前記第２の通信部２８経由で前記ファクシミリ送信者端末１０から前記ファクシミリ送信の指示を受信したとき、前記送信者承認者対応テーブル２９ａを用いて、前記ファクシミリ送信の指示を出したファクシミリ送信者に対応する前記承認者を割り出し、割り出した前記承認者の前記承認者端末３０に前記第２の通信部２８経由で承認依頼を出すファクシミリ送信管理部２１ａを備え、前記承認者端末３０は、前記画像形成装置２０と通信可能な第３の通信部３５と、表示部３６と、前記承認者によるファクシミリ送信の可否の入力を受け付ける第２の操作入力部３４と、前記第３の通信部３５経由で前記画像形成装置２０から前記承認依頼を受信したとき、前記表示部３６経由で前記承認者に承認画面を提示し、承認結果を前記承認者から前記第２の操作入力部３４経由で受け付け、受け付けた前記承認結果を前記第３の通信部３５経由で前記画像形成装置２０に返信する承認管理部３１ａとを備え、前記画像形成装置２０の前記ファクシミリ送信管理部２１ａは、前記承認者端末３０から前記第２の通信部２８経由で前記承認結果を受信し、かつ前記承認結果がファクシミリ送信を許可する旨のものであるとき、前記ファクシミリ通信部２７に前記送信データ１７ａをファクシミリ送信させる。
【００９０】
その他、本発明は、上述の実施形態にのみ限定されるものではなく、本発明の要旨を逸脱しない範囲内において種々変更を加え得ることは勿論である。
【符号の説明】
【００９１】
１  …  ファクシミリ送信システム
１０  …  ファクシミリ送信者端末
１１  …  ＣＰＵ
１１ａ…  送信データ取得部
１１ｂ…  送信設定部
１１ｃ…  送信指示部
１２  …  ＲＯＭ
１３  …  ＲＡＭ
１４  …  操作入力部
１５  …  通信部
１６  …  表示部
１７  …  記憶部
１７ａ…  送信データ
１７ｂ…  送信設定情報
１８  …  バス
２０  …  画像形成装置
２１  …  制御部
２１ａ…  ファクシミリ送信管理部
２２  …  原稿読取部
２３  …  画像処理部
２４  …  画像メモリー
２５  …  画像形成部
２６  …  操作部
２６ａ…  表示部
２７  …  ファクシミリ通信部
２８  …  通信部
２９  …  記憶部
２９ａ…  送信者承認者対応テーブル
３０  …  ファクシミリ送信者端末
３１  …  ＣＰＵ
３１ａ…  承認管理部
３２  …  ＲＯＭ
３３  …  ＲＡＭ
３４  …  操作入力部
３５  …  通信部
３６  …  表示部
３７  …  記憶部
３８  …  バス
【図１】
2017118389.tif 000003
【図２】
2017118389.tif 000004
【図３】
2017118389.tif 000005
【図４】
2017118389.tif 000006
【図５】
2017118389.tif 000007
【図６】
2017118389.tif 000008
【図７】
2017118389.tif 000009